(57)【特許請求の範囲】
【請求項１】
椅子の背もたれ部に着脱可能に装着される椅子カバーであって、
背もたれ部の前面側を覆う前カバーと、背もたれ部の後面側を覆う後カバーとからなり、
前後カバーは上部及び左右側部が互いに閉じられて下部に開口する袋状の背もたれ収納部を構成し、
後カバーは該背もたれ収納部の下方開放端よりもさらに下方に延長形成され、
該延長形成部の前記前カバーが存在する側の面の周囲に、防災用の頭巾として使用する保護カバーが形成され、
前記背もたれ収納部を構成する前カバー若しくは後カバーのうち少なくとも一方が伸縮性素材を用いてなる椅子カバー。
【請求項２】
難燃素材からなる層、防炎素材からなる層、耐熱素材からなる層のいずれか２以上の異なる素材の層を具備する請求項１に記載の椅子カバー。
【請求項３】
前記保護カバーの周囲に緊締手段支持部及び該支持部に支持された緊締手段を備え、
及び／又は、
前記保護カバーには折畳部が形成された
請求項１又は請求項２のいずれかに記載の椅子カバー。
【請求項４】
前記保護カバー端部周囲の全部又は一部においてワイヤを内包した請求項１乃至請求項３のいずれかに記載の椅子カバー。
【発明の詳細な説明】
【技術分野】
【０００１】
この発明は、背もたれ付き椅子の椅子カバーに関し、特に遊戯場において使用される椅子カバーであって、平時には広告媒体として、そして災害発生時には頭巾として使用可能な椅子カバーに関する。
【背景技術】
【０００２】
従来技術として、常時、椅子の背もたれ部分に取り付けておき、非常時に防災頭巾として利用する「背当クッション兼用防災頭巾」が知られている（特許文献１参照）。
当該考案は、頭巾の下部をチャック又はボタンで留めることによって袋状となし、背当クッションとして椅子に使用できる構造としたことを特徴とするものである。
【０００３】
また、非常時に、防災頭巾を簡単に取り出すことができ、どのような種類の椅子にも、背部又は座部に確実に取り付けることができるとする「防災頭巾カバー」が知られている（特許文献２参照）。
当該考案は、カバーとは別体の防災頭巾を当該防災頭巾カバーへ収納すべく縫製した収納部と、先端にスナップホック等の結合手段を設けた引掛紐を具備し、さらには当該カバーとは別体の弾性紐を予め準備し、椅子の背部又は座部に取り付けて使用することを特徴とする。
【先行技術文献】
【特許文献】
【０００４】
【特許文献１】実開昭５９−０６１２３６号公報
【特許文献２】実用新案登録第３１１２９２４号公報
【発明の概要】
【発明が解決しようとする課題】
【０００５】
しかし、特許文献１及び特許文献２に開示された技術は、当該考案に広告宣伝機能を果たすことが予定されていないため、当該機能を発揮せしめるためには異なる観点に基づいた更なる工夫が望まれるところであった。
【０００６】
また、特許文献１に開示された技術では、当該考案を使用する椅子の背もたれ部の幅と、頭巾の開口部幅とを予め一致させておく必要がある点で汎用性に欠ける。
そして、特許文献２に開示された技術では、当該考案と別体の頭巾の取り扱いに注意が必要である。即ち、パチンコホールなどの遊戯場において長時間に亘って多くの人々が出入りする環境では収納した頭巾の盗難対策が必要となる。さらに、当該考案に係るカバーの構成では椅子への取付けが煩雑であり、多数の椅子が並ぶ遊戯場等においては作業効率が悪く、更なる工夫が望まれていた。
【０００７】
また、特許文献１に開示された技術には、難燃・防炎・耐熱といった機能はないことから、当該機能を付与した技術の開発が待ち望まれていた。
そして、特許文献２に開示された技術では、カバーには防災機能はなく、頭巾についても外側に難燃素材を用いたに留まることから、一層の防災機能を付与することが望ましい。
【０００８】
以上の課題に鑑みて、本発明は、広告等の十分な表示領域を確保することで広告宣伝機能を付与し、多少背もたれ部の大きさに差がある場合であっても、ボタンや紐といった椅子へ取付けのためだけに用いる要素を必要とすることなく背もたれ部に容易に取り付け可能な頭巾と一体型とした椅子カバーであって、さらには、防災機能を強化した、椅子カバーを提供しようとするものである。
【課題を解決するための手段】
【００１０】
請求項１に記載の椅子カバーは、椅子の背もたれ部に着脱可能に装着される椅子カバーであって、背もたれ部の前面側を覆う前カバーと、背もたれ部の後面側を覆う後カバーとからなり、前後カバーは上部及び左右側部が互いに閉じられて下部に開口する袋状の背もたれ収納部を構成し、後カバーは該背もたれ収納部の下方開放端よりもさらに下方に延長形成され、該延長形成部の前記前カバーが存在する側の面の周囲に、防災用の頭巾として使用する保護カバーが形成され、前記背もたれ収納部を構成する前カバー若しくは後カバーのうち少なくとも一方が伸縮性素材を用いてなることを特徴とする。
【００１１】
また、請求項２に記載の椅子カバーは、請求項１に記載の構成において、難燃素材からなる層、防炎素材からなる層、耐熱素材からなる層のいずれか２以上の異なる素材の層を具備することを特徴とする。
【００１２】
また、請求項３に記載の椅子カバーは、請求項１又は請求項２のいずれかに記載の構成において、前記保護カバーの周囲に緊締手段支持部及び該支持部に支持された緊締手段を備え、及び／又は、前記保護カバーには折畳部が形成されたことを特徴とする。
【００１３】
また、請求項４に記載の椅子カバーは、請求項１乃至請求項３のいずれかに記載の構成において、前記保護カバー端部周囲の全部又は一部においてワイヤを内包したことを特徴とする。
【発明の効果】
【００１５】
後カバーが袋状の下方開放端よりもさらに下方に延長形成された構成により、広告の表示領域が格段に広がることから、有効な広告宣伝媒体としてその機能の発揮が期待できるものとなったことに加え、前カバー若しくは後ろカバーのうち少なくとも一方が伸縮性素材を用いてなる構成としたことにより、背もたれ収納部に伸縮性が生まれ、多少、背もたれ幅に違いがあっても椅子カバーの装着、取り外しは極めて容易に行える。特に、脚数の多い遊戯場などにおける椅子カバーの着脱は、チャックやスナップボタン、紐を用いることがないため、作業効率の大幅な向上がみられた。
【００１６】
難燃素材からなる層、防炎素材からなる層、耐熱素材からなる層のいずれか２以上の異なる素材の層により椅子カバーを構成することで、防災機能を一層強化することが可能となった。
【００１７】
保護カバーの周囲に緊締手段支持部及び緊締手段を備えることで、頭巾として使用する際には確実に着用することができ、保護カバーに折畳部を形成した場合には、着用時の頭部へのフィット感が一層高まることとなった。
【００１８】
保護カバー端部周囲の全部又は一部においてワイヤを内包した構成によれば、折り畳む際の操作性や、平時の形態安定性の向上がみられた。
【図面の簡単な説明】
【００１９】
【図１】本発明に係る椅子カバーを椅子へ装着する様子を示す説明図である。
【図２】同椅子カバーの正面図である。
【図３】同椅子カバーの背面図である。
【図４】使用状態（平時）を示す説明図である。
【図５】使用状態（災害時）を示す説明図である。
【図６】同椅子カバーの層構造を示す説明図である。
【図７】同椅子カバーの異なる実施例を示す説明図である。
【発明を実施するための形態】
【００２０】
〔第一の実施形態〕
以下、本発明の第一の実施形態につき図１乃至図６（ａ）を参照しながら説明する。
本実施の形態は、遊戯場の椅子に用いられる椅子カバーであって、平時には広告媒体として、そして災害時には頭巾として使用可能な椅子カバーに関する。
【００２１】
図１は、椅子カバー１を椅子２へ装着する様子を示す。前カバー１０と後カバー１１とから形成される袋状の背もたれ収納部１３を椅子２の座部２１に垂設される背もたれ部２０へ被せて装着するものである。
【００２２】
まず、本実施形態における椅子カバー１の全体構成について説明する。
椅子カバー１は、椅子２の背もたれ部２０の前面側（着座者の背中が接する面側）を覆う前カバー１０と、背もたれ部２０の後面側（遊戯場における通路側に面する側）を覆う後カバー１１とからなり、前カバー１０と後カバー１１は、上部及び左右側部が互いに閉じられて下部に開口する袋状の背もたれ収納部１３（図１）を形成する。
【００２３】
そして、後カバー１１は、該背もたれ収納部１３の下方開放端よりもさらに下方に延長形成され、該延長形成部の裏面周囲に災害時に頭巾として使用される保護カバー１２（図１）を形成してなる。
また、後カバー１１には、広告掲載面１１０として各種広告、例えば、「新台登場」「女性専用台」「甘釘台」「会員専用台」といった文字情報その他デザインなどを表示する（図３）。
【００２４】
保護カバー１２は、開口部周縁１２１にバイアステープ（ｔ）を配し、緊締手段支持部１２２に緊締手段１２３（本実施形態においては紐状体）を通してなる（図２）。緊締手段１２３は弾性を伴う素材又は構成のものでもよく、使用目的に適うものであれば、素材、構成は問わない。なお、緊締手段支持部１２２を設ける位置や数は図示されたものに限られず、適宜変更することは妨げない。
また、図２（ｂ）に示すように、保護カバー１２にはステッチ（ｓ）により形成したＶ字の折畳部１２４を２箇所設けた。
【００２５】
本実施形態における椅子カバー１の生地、構成について説明する。
前カバー（１０）、後カバー（１１）、保護カバー（１２）は、それぞれ表地（ｘ）と裏地（ｙ）の二層構造（図６（ａ））となっており、表地（ｘ）は、ストレッチ性を備えたポリエステル１００％の生地に防炎加工を施した生地を使用する。  
【００２６】
裏地（ｙ）は、難燃性を具備したウレタンフォームを５ｍｍ厚に加工したシート状の伸縮自在のスポンジ生地である。摩擦係数の大きな生地を裏地に使用することで、防滑裏面を形成した。
なお、前カバー（１０）、後カバー（１１）のうちいずれか一方のみにストレッチ性を持たせることとしてもよい。
【００２７】
なお、使用目的に適った弾性を具備し、本発明に必要な加工が可能な他の素材の使用は排除しない。
【００２８】
本実施形態における椅子カバーの生地素材には、LOI（Limited Oxygen Index：限界酸素指数）値21以下の合成繊維の使用は避け、ポリ塩化ビニル、難燃ポリエステルなど、LOI値の高い合成繊維を素材として用いることが望ましい。さらに、表裏面の生地は、ともに帯電防止加工を施すこととしてもよい。
【００２９】
表地（ｘ）と裏地（ｙ）は各周囲を縫い合わせ（図３）、前カバー（１０）、後カバー（１１）、保護カバー（１２）を一体に形成する。後カバー（１２）の周囲（図３）と、保護カバーの周囲（図２）においては、バイアステープ（ｔ）を介して縫製する。
なお、縫製以外にも、接着剤や圧着加工、溶着加工を妨げるものではない。
【００３０】
本実施形態における椅子カバー１の使用方法を説明する。
平常時は、遊戯場の各椅子２の背もたれ部分に椅子カバー１を装着し（図１）、椅子カバーとしての機能を発揮させつつ、広告掲載面１１０に各種広告等を掲載し、広告宣伝機能とを発揮させる（図４）。
一方、災害発生時においては、椅子カバー１を背もたれ部から抜き取り、平常時とは椅子カバーの天地を逆にして保護カバー１２を開き、頭巾として使用する（図２、図５）。このとき、必要に応じて緊締手段１２３を締め付ける。
【００３１】
本実施形態によれば、平時は、広告宣伝機能を十分に発揮し、椅子の背もたれ部への着脱が容易な椅子カバーとして、災害時には、防災機能を強化して安全性を重視しつつ、確実に着用でき、着用時のフィット感も向上させた頭巾として優れた椅子カバーの発明といえる。
【００３２】
〔第二の実施形態〕
以下、本発明の第二の実施形態につき、図６を参照しながら説明する。
本実施の形態は、図６（ｂ）乃至図６（ｄ）に示すように、前記第一の実施形態の椅子カバーにおいて、中地を層構成に追加した形態に係るものである。
以下、第一の実施形態と異なる構成について詳述する。
【００３３】
本実施形態における椅子カバーの層構成は、表地（ｘ）、裏地（ｙ）に加え、中地（ｚ１）／「防炎アルミ生地」、中地（ｚ２）／「アラミドフェルト」を選択的に、若しくは両方を使用してなる。
【００３４】
防炎アルミ生地とは、ポリ塩化ビニルに難燃アルミ加工を施した生地をいう。防炎アルミ生地は伸び縮みが少ないため、これを使用する場合には、表地、裏地とは縫製せず、表裏地に内包して使用することで、椅子カバー全体としての伸縮性を損なうことなく、当該生地の機能を享受することができる。
【００３５】
一方、アラミドフェルトとは、有機繊維のなかでも高度な難燃性能をもつアラミド繊維をフェルト加工したものである。アラミド繊維は、メタ系アラミド繊維とパラ系アラミド繊維とに分かれ、メタ系は耐熱や耐薬品性に優れ、パラ系は引っ張り強度に優れているとされる。
メタ系アラミド繊維は、ポリエステルなどの汎用繊維と同等の強度をもち、熱分解点が400℃以上と高い耐熱性があり、パラ系アラミド繊維は、剛直な分子構造から、メタ系アラミド繊維に比べ、強度、弾性率などの力学的性質で優れた繊維である。
本実施形態においては、メタ系、パラ系のいずれのアラミド繊維の使用も妨げない。
但し、上記防炎アルミ同様、使用する場合には、表地、裏地とは縫製せず、表裏地に内包して使用することで、椅子カバー全体としての伸縮性を損なうことなく、当該生地の機能を享受することができる。
【００３６】
図６（ｂ）は、表地（ｘ）−中地（ｚ１）−裏地（ｙ）とした構成を示す。
【００３７】
図６（ｃ）は、表地（ｘ）−中地（ｚ２）−裏地（ｙ）とした構成を示す。
【００３８】
図６（ｄ）は、表地（ｘ）−中地（ｚ１）−中地（ｚ２）−裏地（ｙ）とした構成を示す。
【００３９】
本実施形態によれば、求められる効果に見合った構成をとることができ、防災機能をさらに強化した椅子カバーを得ることが可能となる。
【００４０】
〔第三の実施形態〕
以下、本発明の第三の実施形態につき、主に図７を参照しながら説明する。
本実施の形態は、前記第一の実施形態の椅子カバーにおいて、保護カバー端部周囲の全部又は一部においてワイヤを内包した構成とした椅子カバーに係るものである。
以下、第一の実施形態と異なる構成について詳述する。
【００４１】
本実施形態の椅子カバーは、保護カバー１２の端部周囲において折畳部１２４の周囲を除き、バイアステープ（ｔ）の内側に樹脂性ワイヤ（ｗ）を内包して縫製した。
【００４２】
このような構成とすることで、緊締手段を締めた際に保護カバー１２部分が収まりよく閉じられ、折畳時の操作性、形態安定性が向上する。頭巾として使用する際には、緊締手段１２３で締めると顔方向へ布地を均等に寄せる効果もあり、好ましい。また、常時では、布地の収まりがよくなり、脚数を多く取り扱う遊戯場においては椅子カバーの取り替え時の作業効率も大幅に向上する。
【００４３】
このワイヤは使用目的に適う許容応力があれば、特定の素材に限られず、樹脂、金属及びこれらの併用を妨げるものではない。
【００４４】
この発明は上述した実施形態に限定されるわけではなく、特許請求の範囲に記載された技術的範囲内で様々な変形を加えてもよい。
【符号の説明】
【００４５】
１      椅子カバー
１０    前カバー
１１    後カバー
１２    保護カバー
１２１  開口部周縁
１２２  緊締手段支持部
１２３  緊締手段
１２４  折畳部
１３    背もたれ収納部
２      椅子
２０    背もたれ部
２１    座部
３      遊技台
ｓ      ステッチ
ｔ      バイアステープ
ｘ      表地
ｙ      裏地
ｚ      中地  
【図１】
0005843098.tif 000002
【図２】
0005843098.tif 000003
【図３】
0005843098.tif 000004
【図４】
0005843098.tif 000005
【図５】
0005843098.tif 000006
【図６】
0005843098.tif 000007
【図７】
0005843098.tif 000008